(57)【要約】【課題】既存の環境（低コスト）で、複数のプリンタ等のエラー発生状況を管理でき、メンテナンス性を向上させる。【解決手段】ホストコンピュータＰＣ１，ＰＣ２、プリンタＰＲＩＮＴＥＲ１−６および／またはプリンタの機能を備えた複合機を含む複数の情報処理装置がネットワークＮに接続されたネットワークシステムにおいて、前記プリンタＰＲＩＮＴＥＲ１−６および／または前記複合機の少なくとも１つの機器が文書データ、画像データおよび印刷エラー情報を蓄積するため記憶媒体を有し、前記記憶媒体を有し、かつ指定された機器から同一ネットワークＮ上に接続された前記プリンタＰＲＩＮＴＥＲ１−６および／または複合機に記録されている分散した各機器のエラー履歴情報を印字出力させる。【選択図】　　　　図３
2004070494.tif 000002
【特許請求の範囲】
【請求項１】
ホストコンピュータ、プリンタおよび／またはプリンタの機能を備えた複合機を含む複数の情報処理装置がネットワーク接続されたネットワークシステムにおいて、
前記プリンタおよび／または前記複合機の少なくとも１つの機器が文書データ、画像データおよび印刷エラー情報を蓄積するため記憶媒体を備え、
前記記憶媒体を備え、かつ指定された機器から同一ネットワーク上に接続された前記プリンタおよび／または複合機に記録されている分散した各機器のエラー履歴情報を印字出力させる手段を備えていることを特徴とするネットワークシステム。
【請求項２】
ユーザが操作している前記機器が、他の機器の記憶媒体に保存されているエラー履歴を取得する手段を備えていることを特徴とする請求項１記載のネットワークシステム。
【請求項３】
ユーザが操作している前記機器が表示装置を備え、前記取得する手段によって取得したエラー履歴を前記表示装置に表示させる手段を備えていることを特徴とする請求項２記載のネットワークシステム。
【請求項４】
ユーザ識別情報入力手段を備え、前記エラー履歴の前記表示装置上への表示は、入力されたユーザ識別情報によって認証を受けたもののみ実行されることを特徴とする請求項３記載のネットワークシステム。
【請求項５】
表示手段上に表示した際に、ユーザが選択したエラーだけを印刷させる手段を備えていることを特徴とする請求項３または４記載のネットワークシステム。
【請求項６】
前記表示させる手段は、通常印刷中に前記エラー履歴の表示を行う機能を備えていることを特徴とする請求項３または４記載のネットワークシステム。
【請求項７】
記憶媒体を持たない前記機器が、当該機器のエラー履歴情報を大容量の記憶媒体持った同一ネットワーク上の他の機器に転送し、保存させる手段を備えていることを特徴とする請求項１記載のネットワークシステム。
【請求項８】
前記ホストコンピュータが、ユーザ操作の機器に他の機器の記憶媒体に保存されているエラー履歴を取得させるための操作と設定を行う機能を備えていることを特徴とする請求項２記載のネットワークシステム。
【請求項９】
前記ホストコンピュータが、ユーザ操作の機器の表示装置へのエラー履歴の表示を行わせるための操作と設定を行う機能を備えていることを特徴とする請求項３記載のネットワークシステム。
【請求項１０】
前記ホストコンピュータが、前記表示装置上にエラー履歴を表示した際に、ユーザが選択したエラーだけを印刷させるための操作と設定を行う機能を備えていることを特徴とする請求項５記載のネットワークシステム。
【請求項１１】
前記ホストコンピュータが、通常印刷中に前記エラー履歴を表示させるための操作と設定を行う機能を備えていることを特徴とする請求項６記載のネットワークシステム。
【発明の詳細な説明】
【０００１】
【発明の属する技術分野】
本発明は、同一のネットワークに複数のプリンタまたは、プリンタ及びコピー機能を持った複合機が接続されているネットワークシステムに係り、特に、ホストコンピュータから印刷指示された文書の印刷に際し、印刷エラーなどが発生した場合、自機のみならず他機のプリントエラー情報も記憶し、管理することができるネットワークシステムに関する。
【０００２】
【従来の技術】
従来から印刷エラーや履歴などをプリンタなどの記憶媒体に保存したり、印刷を指示したユーザまたはクライアントＰＣにエラーを通知するもの、管理ＰＣ上でエラーを管理するものが数多く考案されている。例えば、特開２０００−１４８４３０公報には、メンテナンスを向上させるためにエラー等が発生した時に、常時起動している状態監視モジュールによるプリンタの状態・及び解析結果をクライアントＰＣの記憶媒体の中に記録しておくものが開示されている。また、特開平１０−２９３７０５号公報には、クライアントＰＣ（管理ＰＣ）からネットワークを通して通知されてくるものを管理し、各エラーをホストＰＣ上で一覧表示、ソートによる表示、各エラー詳細表示をさせるものが開示されている。
【０００３】
【発明が解決しようとする課題】
従来では、複数のプリンタのエラー発生状況を管理するためには、
▲１▼管理ＰＣを設置する。
▲２▼使用ユーザが個別に管理する。
▲３▼プリンタ内に残っているプリンタ毎の印刷のログを調べる。
というような方法しかなかった。最近では、ネットワーク環境、及び大容量の記憶媒体を持った装置があり、標準であるため、低コストでメンテナンス環境を構築することが可能になっている。
【０００４】
このようなことから本発明の第１の目的は、既存の環境（低コスト）で、複数のプリンタ等のエラー発生状況を管理でき、メンテナンス性を向上させることにある。
【０００５】
第２の目的は、他人の印刷情報等が、容易に流失・閲覧等ができないように管理することにある。
【０００６】
第３の目的は、必要なもののみ、印刷ができ、資源の節約、メンテナンス性の向上を図ることにある。
【０００７】
第４の目的は、リアルタイムで、エラー状態を監視することができ、エラー発生原因の特定を短時間で行えるようにすることにある。
【０００８】
第５の目的は、既存環境（新たな装置管理サーバー等）を設置せず、効率よく管理できるようにすることにある。
【０００９】
第６の目的は、ネットワークを通して、上記操作が可能になり、ユーザのメンテナンス性を向上させることにある。
【００１０】
【課題を解決するための手段】
前記目的を達成するため、第１の手段は、ホストコンピュータ、プリンタおよび／またはプリンタの機能を備えた複合機を含む複数の情報処理装置がネットワーク接続されたネットワークシステムにおいて、前記プリンタおよび／または前記複合機の少なくとも１つの機器が文書データ、画像データおよび印刷エラー情報を蓄積するため記憶媒体を有し、前記記憶媒体を有するとともに指定された機器から同一ネットワーク上に接続された前記プリンタおよび／または複合機に記録されている分散した各機器のエラー履歴情報を印字出力させる手段を備えていることを特徴とする。このように構成すると、同一ネットワーク上に接続された複数のプリンタまたはプリンタ、コピーまたスキャナーなどを持ったデジタル複合機において、ユーザが指定したプリンタに各プリンタ毎エラー履歴を、管理ＰＣ等を経由せずに複数のエラー履歴等のログを印刷させることができる。
【００１１】
第２の手段は、第１の手段において、ユーザが操作している前記機器が、他の機器の記憶媒体に保存されているエラー履歴を取得する手段を備えていることを特徴とする。このように構成すると、各プリンタのエラー履歴状態を管理プリンタ内に記憶させることができ、ＨＤＤを持たないプリンタ等のエラー状況も保存できる。
【００１２】
第３の手段は、第２の手段において、ユーザが操作している前記機器が表示装置を備え、前記取得する手段によって取得したエラー履歴を前記表示装置に表示させる手段を備えていることを特徴とする。このように構成すると、各プリンタ内に保存されているエラー履歴情報をネットワークを通して一覧表示することができ、これにより、エラー発生状況の管理性が向上する。
【００１３】
第４の手段は、第３の手段において、ユーザ識別情報入力手段を備え、前記エラー履歴の前記表示装置上への表示は、入力されたユーザ識別情報によって認証を受けたもののみ実行されることを特徴とする。複数のユーザが使用する共有プリンタでは、他人のデータのエラー状況等が見られてしまい、また、不必要に自分以外のエラー履歴等が表示されてしまうが、このように構成すると、エラー履歴等を表示する際に、パスワード等のユーザ識別ログイン情報等を入力する必要があるので、不必要なデータが表示されることがなく、エラー発生状況を効率よく管理することができる。
【００１４】
第５の手段は、第３または第４の手段において、表示装置上に表示した際に、ユーザが選択したエラーだけを印刷させる手段を備えていることを特徴とする。このように構成すると、不必要に全てのエラー履歴状態を印刷するだけでなく、選択したものだけを印刷できる。
【００１５】
第６の手段は、第３または第４の手段において、前記表示させる手段は、通常印刷中に前記エラー履歴の表示を行う機能を備えていることを特徴とする。エラーが発生した状態と、現在印刷しているものとでは、タイムラグが発生する可能性があるが、このように構成すると、印刷中でもエラー履歴表示画面を表示でき、リアルタイムでエラー発生状況を知ることが可能となる。
【００１６】
第７の手段は、第１の手段において、記憶媒体を持たない前記機器が、当該機器のエラー履歴情報を大容量の記憶媒体持った同一ネットワーク上の他の機器に転送し、保存させる手段を備えていることを特徴とする。このように構成すると、大容量ＨＤＤ等の記憶媒体を持ったプリンタを効率よく活用して、ＨＤＤを持たないような低コストのプリンタの状態の管理することができる。
【００１７】
第８の手段は、第２の手段において、前記ホストコンピュータが、ユーザ操作の機器に他の機器の記憶媒体に保存されているエラー履歴を取得させるための操作と設定を行う機能を備えていることを特徴とする。このように構成すると、ホストコンピュータから各プリンタのエラー履歴状態を管理プリンタ内に記憶させることができ、ＨＤＤを持たないプリンタ等のエラー状況も保存できる。
【００１８】
第９の手段は、第３の手段において、前記ホストコンピュータが、ユーザ操作の機器の表示手段へのエラー履歴の表示を行わせるための操作と設定を行う機能を備えていることを特徴とする。このように構成すると、ホストコンピュータから各プリンタ内に保存されているエラー履歴情報を、ネットワークを通して一覧表示させることができ、エラー発生状況の管理性が向上する。
【００１９】
第１０の手段は、第５の手段において、前記ホストコンピュータが、前記表示手段上にエラー履歴を表示した際に、ユーザが選択したエラーだけを印刷させるための操作と設定を行う機能を備えていることを特徴とする。このように構成すると、ホストコンピュータからの操作指示により、不必要に全てのエラー履歴状態を印刷するだけでなく、選択したものだけを印刷できる。
【００２０】
第１１の手段は、第６の手段において、前記ホストコンピュータが、通常印刷中に前記エラー履歴を表示させるための操作と設定を行う機能を備えていることを特徴とする。このように構成すると、ホストコンピュータからプリンタあるいはデジタル複合機の印刷中でもエラー履歴表示画面を表示させることができ、リアルタイムでエラー発生状況を知ることが可能となる。
【００２１】
【発明の実施の形態】
以下、本発明の実施形態について図面を参照して説明する。
【００２２】
図１は本実施形態に係るプリンタのハ−ド構成及びホストとの関係を示すブロック図である。同図において、プリンタはコントローラ１１０と、プリンタエンジン１０９とから基本的に構成されている。コントローラ１１０は、実際のペ−ジ記述言語により変換された印刷デ−タを本体もしくはドライバなどにより設定された印刷補正モ−ドの条件下で、ビデオデータに変換してプリンタエンジン１０９へ出力する出力装置の総称で、以下のようなモジュール構成を持っている。
【００２３】
すなわち、コントローラ１１０は、ＲＡＭ１、ＲＯＭ１０２、フォントＲＯＭ１０３、ＣＰＵ１０４、ＡＳＩＣ１０５、エンジンＩ／Ｆ１０６、ホストＩ／Ｆ１０７、ＨＤＤ１０８、ＮＩＣ１１１およびタイマ１１２から構成されている。このうち、ホストＩ／Ｆ１０７は、ホストＰＣ１１３からプリンタへのデ−タ送信、また、プリンタからのホストＰＣ１１３へのステ−タス信号、データ受信用のインタ−フェ−スである。ＣＰＵ１０４及びＡＳＩＣ１０５はＲＯＭ１０２に書き込まれたプログラムにしたがってホストＰＣ１１３からのデータ（印字デ−タ）などを処理する。ＲＡＭ１０７はＣＰＵ１０４が処理するときのワークメモリとして、また、ホストＰＣ１１３からのデータをページ単位に管理して一時記憶するバッファ、バッファに記憶されたデータを実際の印字パタ−ンに変換し、ビデオデータを記憶するビットマップメモリ等に使われている。フォントＲＯＭ３は実際に使われるさまざまなフォントを有する。
【００２４】
エンジンＩ／Ｆ１０６はコントローラ１１０からプリンタエンジン１０９への制御信号、コントローラ１１０へのエンジンステータス信号のインタ−フェ−スである。プリンタエンジン１０９はコントローラ１１０からのビデオ信号及び制御信号により感光体上に静電潜像を作り、現像し、また給紙部より転写しを給紙し、転写及び定着をし、画像を形成する。ＨＤＤ（ハードディスク装置）１０８は、文書データ情報、文書データ、印刷データ等を保存しておく。タイマ１１２は常に現在時間を計測する装置である。ＮＩＣ１１１はネットワーク接続するためにインターフェスを提供する。ホストＰＣ１１３からのプリント命令またはホストＰＣ１１３から受け取ったデータが１ページを超えたとき、コントローラ１１０はまず、中間コードをビデオデータに変換し、それが終了したらエンジンＩ／Ｆ１０６を介して、プリンタエンジン１０９にプリント開始命令を出力する。この操作を繰り返し、実際にホストＰＣ１１３からのデ−タがプリンタエンジン９を通して印字される。
【００２５】
図２はプリンタまたは、コピー・プリンタ・ファックスなどの機能を持ったデジタル複合機の操作表示部を示す図である。この操作表示部２００には、エラー履歴等の一覧を表示、選択、印刷の指示等をするための操作パネル（ＬＣＤ）２１０が設けられ、さらに、ＬＣＤ２１０の下側にユーザが情報を入力または選択するためのテンキー２２０等が配置されている。
【００２６】
図３は同一ネットワーク上に接続された複数プリンタおよび複数のホストＰＣの状態の概略を示す図である。
【００２７】
複数のクライアントＰＣ（この場合はＨＯＳＴ　ＰＣ１および２）から、各１から６のプリンタに印刷データ送信し印刷、または蓄積等の印刷処理ができるようになっている。プリンタ内に蓄積されたエラー一覧画面上において、そのエラーの履歴をユーザが印刷したい、もしくは、削除等行いたい文書をそれぞれ選択すると、表示が反転する。また、それを複数選択または一括して選択することもできる。なお、ここではプリンタとして説明しているが、プリンタ機能を含む複合機もこのプリンタに含まれる。図４は前記ＬＣＤ２１に表示される表示画面４００の例である。この画面では、各エラーの概要４０１のみが、最初の画面に表示され、パネル上の詳細ボタン４０２を押下することにより、各エラーに対する詳細項目が表示される。また、図５に示すように図４のプリンタ選択ボタン４０３を押下すると、同一ネットワークＮ上に接続された、エラーログを取得可能な、プリンタ一覧が表示される（表示画面５００）。その図の左側にある、各プリンタのボタン５０１を押下すると、右側の表示スペース５０２に各プリンタのエラー履歴数、及び状態などの情報が表示される。複数選択した場合には、右側の情報表示スペースには、最初に選択したものが表示され、スクロール（上下）ボタンにより、各プリンタの簡易情報を表示可能とする。
【００２８】
図６は、通常画面から、エラー履歴一覧ボタン押下し、履歴一覧画面を作成するための処理手順を示すフローチャートである。
【００２９】
この処理では、最初に一覧画面表示ボタン７０３を押下すると（ステップ６０１）、システム条件などにより認証設定がされている場合にはパスワード等の認証情報を入力する（ステップ６０３）。図７は、通常画面から、エラー履歴一覧画面を表示する際に、ユーザ認証画面（ユーザ名７０１及び、パスワード入力７０２）７００を表示したものである。ユーザ名７０１は英数文字入力の可能性があるため、また、パネル上のハードキーには数字キーしか存在しないため、この場合にソフトキーボード等の画面をＬＣＤ２０１上に表示し、入力を行う。入力された認証情報により認証がＯＫとなると（ステップ６０３）、エラー履歴情報を取得する（ステップ６０４）。認証後表示する項目の指定は、その認証したユーザのみエラー履歴か、または全ての履歴を表示可能とするか選択できるものとする。自身のプリンタにエラー履歴情報がない場合（ステップ６０５−ＹＥＳ）には、同一ネットワーク上に接続された、他のプリンタ（エラー履歴公開プリンタ）が存在するかのチェックを行う。その結果、表示すべきものがまったく存在しない場合（ステップ６０６）には、エラー履歴一覧画面を表示せず、エラー履歴が存在しない盲のダイアログを表示する。エラー履歴が存在する場合（自身になく、他のプリンタに存在する場合も同様ステップ６０５−ＮＯ、ステップ６０６−ＮＯ）には、最初に自身のプリンタのエラーを表示する。各エラーの表示のボタンを押下すると、反転表示され、削除、詳細、全て選択、印刷実行等の操作が可能となる（ステップ６０７）。
【００３０】
図８は、図４でプリンタ選択ボタン４０３を押下した場合に、ネットワークＮ上のほかのプリンタからデータを取得する手順を示すフローチャートである。この時点では、各プリンタ内に保存されている実際のエラー履歴情報そのものは取得せず、エラー履歴を公開しているかどうか、またはエラー数などの基本情報のみを取得する。すなわち、プリンタ選択ボタン４０３が押されると（ステップ８０１）、同一ネットワーク上のプリンタを検索し（ステップ８０２）エラー履歴公開プリンタがなければ（ステップ８０３−ＹＥＳ）処理を終え、エラー公開プリンタがあれば（ステップ８０３−ＮＯ）、各プリンタのエラー履歴情報を取得し（ステップ８０４）、エラー履歴一覧画面を作成して（ステップ８０５）処理を終える。
【００３１】
図９は、図５の画面でプリンタ５０１を選択し、実行ボタン５０３を押下した際のエラー履歴データの取得手順を示すフローチャートである。
【００３２】
この処理では、まず、実行ボタン５０３が押されると（ステップ９０１）、図５において選択したプリンタに接続する（ステップ９０２）。接続が成功しない場合にはある程度の回数の再試行回数を設け、それまで再接続を行う（ステップ９０３−９０６）。それでも接続できない場合にはエラーとする（ステップ９１１）。接続に成功すると（ステップ９０６−ＮＯ）、データを受信し（ステップ９０７）、ＨＤＤなどの大容量記憶媒体に蓄積し（ステップ９１２）、接続を終了する（ステップ９０８）。
【００３３】
また、複数のプリンタから、同時に取得する場合には（ステップ９０４→ステップ９０９）、次にプリンタに接続を試みる。また、選択されたプリンタに関する画面に更新する（ステップ９１０）。エラーが発生した場合には、全ての取得処理が取得終了した際に、ダイアログでそのエラーをユーザに通知する。それらのエラー履歴等の情報は、ＨＤＤなどの大容量記憶媒体に蓄積する（ステップ９１２）。削除等を行う場合には、各プリンタに削除通知を行い、また、このエリアに蓄積されているデータも同様に削除する。
【００３４】
図１０はＨＤＤ内のエラー履歴データ蓄積状態を示す説明図である。プリンタごとに、エラー履歴管理テーブル１００１及び履歴詳細データテーブル１００２を持つ。詳細画面を表示する場合には、履歴詳細データテーブル１００２までを必要とする。通常、図４のエラー一覧画面４００を表示する際には、エラー履歴管理テーブル１００１（図１０（ａ），（ｂ））が必要となる。エラー履歴管理テーブルには１００１、エラーＮＯ、ユーザＩＤ、認証用パスワード（任意）、印刷日時、エラー概要、詳細データの番号またはアドレス、ジョブ名情報を持っており、履歴詳細データテーブル１００２は、エラーＮＯ、発生エラー（複数）を持つようにデータを管理する。また、別途、ＩＰアドレス等、ｆｔｐログイン情報等の複数のプリンタ情報を管理するテーブルを設ける。
【００３５】
印刷中にエラーが発生した場合には、自身の持っているエラー履歴管理テーブル１００１及び履歴詳細データテーブル１００２を更新し、もし、その場合に、エラー履歴一覧画面４００を表示している場合（オンラインでも表示可能）には、更新処理を行う。ただし、エラー履歴一覧画面４００より階層の深い設定画面に入っている場合には、オフライン状態とする。
【００３６】
ＨＤＤ等の記憶媒体を持たないプリンタ、容量が大きくないプリンタ、または、メンテナンス性能を上げるため等の理由で、エラーログを記録するためにＨＤＤを共通化していないプリンタの場合、大容量ＨＤＤを持ったプリンタ、またはプリンタ、コピー、スキャナ等を持ったデジタル複合機の一部の領域を割り当て、エラーを記録して既存の環境を効率よく活用する。この際、あらかじめ前記容量のない各プリンタに登録先を設定しておくことによりエラーが発生した際に、そのエラーをメモリ上に一旦蓄積し、印刷が完了とともに、その記録用ＨＤＤを持ったプリンタに接続し、エラーの登録を行うようにする。また、同一ネットワーク上に接続された複数のプリンタのエラー履歴登録先に、あらかじめ全てをこのプリンタしておき、前記データ取得等のネットワーク接続を行わず、管理するようにすることもできる。
【００３７】
図１１はウェブから設定する場合のクライアントのホストＰＣ１（あるいはホストＰＣ２）設定画面１１００の一例を示す図で、前述の設定および操作を、プリンタからではなくホストＰＣ側からネットワークＮを通して可能とし、実際には、ウェブ等で新たなアプリケーション等をインストールせずに実現させる。この例では、図５の表示画面の表示データの下側に図４の表示画面の表示データを表示させ、この画面から各プリンタのエラー情報を全て得ることができるようにしている。
【００３８】
なお、クライアントのホストＰＣ側で行う設定および操作とは、前述したプリンタで行った設定と操作の全てである。例えば、ユーザ操作の機器の表示手段へのエラー履歴の表示を行わせるための操作と設定、前記表示手段上にエラー履歴を表示した際に、ユーザが選択したエラーだけを印刷させるための操作と設定、通常印刷中に前記エラー履歴を表示させるための操作と設定、記憶媒体を持たない前記機器のエラー履歴情報を大容量の記憶媒体持った同一ネットワーク上の他の機器に転送し、保存させる操作と設定などである。
【００３９】
【発明の効果】
以上のように本発明によれば、前述のように構成されているので、以下のような効果を奏する。
【００４０】
本発明によれば、既存の環境（低コスト）で、複数のプリンタ等のエラー発生状況を管理でき、メンテナンス性を向上させることができる。
【００４１】
また、本発明によれば、他人の印刷情報等が、容易に流失・覧等が出来ないように管理することが可能になる
また、本発明によれば、必要なもののみ、印刷ができ、資源の節約、メンテナンス性の向上を図ることができる。
【００４２】
また、本発明によれば、リアルタイムで、エラー状態を監視することができ、エラー発生原因を短時間で特定することができる。
【００４３】
また、本発明によれば、既存環境（新たな装置管理サーバー等）を設置せず、効率よく管理することができる。
【００４４】
さらに本発明によれば、ネットワークを通して、上記操作が可能になり、ユーザのメンテナンス性を向上させることができる。
【図面の簡単な説明】
【図１】本発明の実施形態に係るプリンタのハ−ド構成及びホストとの関係を示すブロック図である。
【図２】プリンタまたは、コピー・プリンタ・ファックスなどの機能を持ったデジタル複合機の操作表示部を示す図である。
【図３】同一ネットワーク上に接続された複数プリンタおよび複数のホストＰＣの状態の概略を示す図である。
【図４】デジタル複合機の操作表示部のＬＣＤに表示される表示画面の一例（エラー履歴一覧表示画面）を示す図である。
【図５】同一ネットワークＮ上に接続されたエラーログを取得可能なプリンタ選択の一覧表示画面を示す図である。
【図６】通常画面からエラー履歴一覧ボタン押下し、履歴一覧画面を作成するための処理手順を示すフローチャートである。
【図７】通常画面からエラー履歴一覧画面を表示する際にのユーザ認証画面を示す図である。
【図８】図４の画面でプリンタ選択ボタンを押下した場合にネットワーク上のほかのプリンタからデータを取得する手順を示すフローチャートである。
【図９】図５の画面でプリンタを選択し、実行ボタンを押下した際のエラー履歴データの取得手順を示すフローチャートである。
【図１０】ＨＤＤ内のエラー履歴データ蓄積状態を示す説明図である。
【図１１】ウェブから設定する場合のクライアントのホストＰＣの設定画面の一例を示す図である。
【符号の説明】
１０４　ＣＰＵ
１０８　ＨＤＤ
１０９　プリンタエンジン
１１３，ＰＣ１，ＰＣ２　ホストＰＣ
２００　操作表示部
２１０　ＬＣＤ
２２０　テンキー
４００　エラー履歴表示画面
５００　プリンタ選択画面
７００　ユーザ認証画面
１１００　ホストＰＣの設定画面
Ｎ　ネットワーク
ＰＲＩＮＴＥＲ１，２，３，４，５，６　プリンタ
【図１】
2004070494.tif 000003
【図２】
2004070494.tif 000004
【図３】
2004070494.tif 000005
【図４】
2004070494.tif 000006
【図５】
2004070494.tif 000007
【図６】
2004070494.tif 000008
【図７】
2004070494.tif 000009
【図８】
2004070494.tif 000010
【図９】
2004070494.tif 000011
【図１０】
2004070494.tif 000012
【図１１】
2004070494.tif 000013